(57)【要約】      （修正有）【課題】コンビニエンスストアのような店舗の換気に関し、店舗では、室内温度と室外温度との温度差が、例えば、１５℃→２０℃への５℃と、２０℃→２５℃への５℃のように、同じ温度差５℃であっても、店舗内の空気調和装置や食品冷却機器の負荷の大きさは異なることに着目し、そのときの温度差の状況を考慮した適正送風量となるように換気扇の送風量を制御することによって、店舗内の温度むらを解消し、空気調和装置の負荷の抑制、並びに、店舗内の冷蔵・冷凍ショーケースの負荷の抑制を図るものである。【解決手段】店舗内に繋がる天井裏を排気ダクトとして構成し、少なくとも店舗内の天井に前記排気ダクトに導く換気口を備えると共に、前記店舗の窓際上部の壁面に取り付けられた換気扇とを備え、前記店舗内の少なくとも室温を用いた判断に基づいて前記排気ダクトを介しての排気量と前記換気扇を介しての排気量との割合を調節すること。【選択図】図１
2011133199.tif 000002
【特許請求の範囲】
【請求項１】
店舗内に繋がる天井裏を排気ダクトとして構成し、少なくとも店舗内の天井に前記排気ダクトに導く換気口を備えると共に、前記店舗の窓際上部に取り付けられた換気扇とを備え、前記店舗内の少なくとも室温を用いた判断に基づいて前記排気ダクトを介しての排気量と前記換気扇を介しての排気量との割合を調節することを特徴とする店舗内の換気装置。
【請求項２】
店舗内に繋がる天井裏を排気ダクトとして構成し、少なくとも店舗内の天井に前記排気ダクトに導く複数の換気口を備えると共に、前記店舗の窓際上部の壁面に取り付けた窓際換気扇と、前記換気口のそれぞれに取り付けた天井換気扇とを備え、前記店舗内の少なくとも室温を用いた判断に基づいて、前記天井換気扇による排気量と前記窓際換気扇による排気量との割合を調節することを特徴とする店舗内の換気装置。
【請求項３】
前記判断は、少なくとも外気温度、前記窓際の温度、天井側の温度を含むことを特徴とする請求項１または２に記載の店舗内の換気装置。
【発明の詳細な説明】
【技術分野】
【０００１】
本発明は、コンビニエンスストア等の店舗の換気装置に関する。
【背景技術】
【０００２】
建物の換気時に各居室の室内温度と室外温度との差を算出し、温度差が最小である居室から優先的に排気すると共に、建物全体の必要換気量を超えないようにするシステムがある（特許文献１参照）。
【０００３】
一方、コンビニエンスストア等の店舗は、店内は空気調和装置によって冷房または暖房され、販売食品を貯蔵する冷蔵ショーケース及びまたは冷凍ショーケースが設置されている。しかし、コンビニエンスストア等の店舗の前面は、外部から店舗内を見通せるようにするためにガラス張りであり、店舗の前面側に位置する店舗の出入り口付近はガラス張りである。
【０００４】
このため、店舗の前面側は、１日の時間帯や季節によって外気の影響を受け易く、輻射熱及び伝導熱により店舗内への熱の侵入が大きく、これは季節や１日の時間帯によって大きな差が生じる。更に、店舗内の天井付近では、店舗内の空気の対流や、天井に取り付けた蛍光灯等の照明器具の発熱によって、温度が高くなる。特に、外気温度が高い場合は、店内温度が更に高くなる。このため、この天井部分の熱を取り除くために、一般的に、照明器具近くに換気扇を設けるなどの対策が講じられる。
【０００５】
また、冷蔵ショーケース及びまたは冷凍ショーケースが設置されている付近では、冷蔵ショーケース及びまたは冷凍ショーケースからの漏れ冷気によって、温度・湿度が低い。このように、店舗内のエリアによって温度・湿度にむらが生じた場合、店舗内が快適環境であるとは言い難い。
【先行技術文献】
【特許文献】
【０００６】
【特許文献１】特開２００４−３０１３４９号公報
【発明の概要】
【発明が解決しようとする課題】
【０００７】
特許文献１のシステムでは、室内温度と室外温度との単なる温度差によって、換気の優先順位が決まり、換気量が決まる制御であるが、上記のように、コンビニエンスストアのような店舗では、外気温度によって店舗内の空気調和装置や食品冷却機器の負荷が異なることとなる。この場合、店舗内の空気調和装置や食品冷却機器の負荷を考慮する場合、室内温度と室外温度との温度差が同じ温度差５℃であっても、後述の本発明に係る図２に示すように、例えば、１５℃→２０℃への５℃と、２０℃→２５℃への５℃では、店舗内の空気調和装置や食品冷却機器の負荷の大きさは異なる。
【０００８】
本発明は、このような点に鑑み、コンビニエンスストア等の店舗内の温度・湿度むらを解消するために設置した換気扇の運転制御として、室内温度と室外温度との温度差が、上記のように同じ温度差であっても、そのときの店舗内外の状況を考慮した適正送風量となるように換気扇を制御することによって、店舗内の温度むらを解消し、店内空気調和装置の負荷となる空気の換気により、空気調和装置の負荷の抑制、並びに、店内に設置されている冷蔵ショーケース及びまたは冷凍ショーケースの負荷の抑制を図るものである。
【０００９】
また本発明は、このような店舗に対して定められている建築基準法に則り、店内空気調和装置の負荷の抑制や、冷蔵ショーケース及びまたは冷凍ショーケースの負荷の抑制を行うことにより、省エネルギー効果を図るものとする。
【課題を解決するための手段】
【００１０】
本発明の店舗内の換気装置は、店舗内に繋がる天井裏を排気ダクトとして構成し、少なくとも店舗内の天井に前記排気ダクトに導く換気口を備えると共に、前記店舗の窓際上部の壁面に取り付けられた換気扇とを備え、前記店舗内の少なくとも室温を用いた判断に基づいて、前記排気ダクトを介しての排気量と前記換気扇を介しての排気量との割合を調節することを特徴とする。
【００１１】
また、本発明の店舗内の換気装置は、店舗内に繋がる天井裏を排気ダクトとして構成し、少なくとも店舗内の天井に前記排気ダクトに導く複数の換気口を備えると共に、前記店舗の窓際上部の壁面に取り付けた窓際換気扇と、前記換気口のそれぞれに取り付けた天井換気扇とを備え、前記店舗内の少なくとも室温を用いた判断に基づいて、前記天井換気扇による排気量と前記窓際換気扇による排気量との割合を調節することを特徴とする。
【００１２】
更に、前記判断は、少なくとも外気温度、前記窓際の温度、天井側の温度を含むことを特徴とする。
【発明の効果】
【００１３】
本発明によれば、コンビニエンスストア等の店舗内の温度むらを解消し、店内空気調和装置の負荷の抑制、並びに、店内に設置されている冷蔵ショーケース及びまたは冷凍ショーケースの負荷の抑制を図ることができる。
【図面の簡単な説明】
【００１４】
【図１】本発明に係る店舗内の換気装置を備えたコンビニエンスストアの概略構成を示す側面図である。
【図２】本発明に係る店内空気調和装置の外気温度に対する消費電力量の関係をグラフで示す図である。
【図３】本発明に係る店舗内の季節ごとの外気、窓際、天井の温度と店内設定温度との関係に基づく計算値の関係図である。
【図４】本発明に係る各換気扇の制御フローチャートである。
【図５】本発明に係る各換気扇の運転を制御する制御装置のブロック図である。
【図６】本発明に係る各換気扇の吸い込み口側にダンパ装置を設けた構成の説明図である。
【図７】本発明に係る各ダンパ装置を制御する制御装置のブロック図である。
【図８】本発明に係る店舗内外環境について、夏季、中間期、冬季における各部の温度、日射量、照明負荷などの一つの測定データを示す図である。
【図９】本発明に係る各換気扇の運転制御のための熱負荷に応じて算出した換気扇制御窓割合と換気扇制御天井割合を示す図である。
【図１０】本発明に係る店舗の窓が北東に向いた夏季における窓際温度と窓日射量との関係式を示す図である。
【発明を実施するための形態】
【００１５】
本発明の店舗内の換気装置は、店舗内に繋がる天井裏を排気ダクトとして構成し、少なくとも店舗内の天井に前記排気ダクトに導く換気口を備えると共に、前記店舗の窓際上部の壁面に取り付けられた換気扇とを備え、前記店舗内の少なくとも室温を用いた判断に基づいて、前記排気ダクトを介しての排気量と前記換気扇を介しての排気量との割合を調節することを特徴とする。
【実施例１】
【００１６】
先ず、本発明に係る店舗内の換気装置の実施形態について、図面を参照しながら説明する。
図１は、本発明に係る店舗内の換気装置を備えたコンビニエンスストア１の概略構成を示す側面図であり、コンビニエンスストア１は、前面側２がガラス張りであり、背面側３及び左右両側が断熱壁で構成されている。前面側２には、図示していないがガラス張りのドアによって出入り口（図示せず）が形成されている。また、背面側３の店舗外には、店舗内４の空気調和を行うための空気調和装置５が設置されており、店舗内４は、所定温度（これを設定温度と称する）に保たれるように、この空気調和装置５によって冷房または暖房されるように制御される。店内４には、販売食品を貯蔵する冷蔵ショーケース及びまたは冷凍ショーケース（以下、ショーケース６という）が設置され、更に販売商品の陳列棚（図示せず）が設置されている。
【００１７】
本発明では、店舗１の天井９の上部に形成される天井裏７を、排気ダクト８（換気ダクト８ともいう）として利用する構成である。排気ダクト８は、天井裏７そのものによって構成してもよいが、天井裏７の中に、断面矩形状や円形状などの形状に特別に形成した排気ダクト８を配置した構成でもよい。店舗１の天井９には、蛍光灯等の照明器具１８が取り付けられており、照明器具１８が発する熱を排気ダクト８に導く換気口８Ａ、８Ｂ、８Ｃを天井９に間隔を保って形成している。
【００１８】
店舗内空気の排気（換気）のために、前面側２の窓際上部の壁面に窓際換気扇１０を取り付け、排気ダクト８に対して、店舗ない空気を排出するために、換気口８Ａ、８Ｂ、８Ｃには、それぞれ天井換気扇１１Ａ、１１Ｂ、１１Ｃを取り付けている。店舗１の店内４の窓際の温度を計測するために、窓際温度計測センサ１２が設けられ、店舗１の周囲の外気を計測するために、外気温度計測センサ１３が設けられ、店舗１の店内４の天井９部分の温度を計測するために、天井温度計測センサ１４が設けられている。
【００１９】
建築基準法では、店舗内容積の空気量を１とすれば、その半分（０．５）が１時間で換気されなければならないと定められている。このため、５００立方メートル（５００ｍ3）の店舗であれば、１時間での換気量は２５０ｍ3となり、これは、１分間では約４．１７ｍ3の換気量となる。本発明は、この基準の範囲内において、店舗内の温度状況に応じて、各換気扇の送風量（換気量）を可変して、温度の高い空気を店外に排出するものである。
【００２０】
以下、この方式について記載する。図３（イ）、（ロ）、（ハ）、（ニ）には、店舗内の季節ごとの外気、窓際、天井の温度と店内設定温度との関係に基づく各計算値の関係を示している。図３（イ）、（ロ）、（ハ）、（ニ）に示すものは、季節を、夏季、冬季、中間期に区分して、この季節における店舗内外の温度を計測して、窓際換気扇１０、天井換気扇１１Ａ、１１Ｂ、１１Ｃによる送風量（換気量）を可変するものである。店舗内４は、所定温度（これを設定温度と称し、実施例では夏季では２６．０℃、中間期では２４．０℃、冬季では２０．０℃としている）に保たれるように、空気調和装置５によって制御される。このため、図３（イ）に示すように、夏季では冷房、中間期では暖房、冬季では暖房されるように制御されるものとする。
【００２１】
図２に示すように、例えば、外気温度が１０℃→１５℃に上昇する場合の５℃と、３０℃→３５℃に上昇する場合の５℃では、同じ温度差５℃でも、空気調和装置や食品冷却機器の消費電力量の上昇量が異なる。店舗内においても、１８℃から２０℃に上昇する場合と、２２℃→２４℃に上昇する場合の２℃では、同じ温度差２℃でも、空気調和装置や食品冷却機器の消費電力量の上昇量が異なる。このため、本発明では、外気温度と消費電力量との関係式、想定消費電力量ｙ＝０．００１６ｘ２−０．２０４７＋４．３５８に当て嵌めて算出した値に基づく割合で、各換気扇を運転することにより、店舗内の温度むらを解消し、店内空気調和装置の負荷の抑制、並びに、店内に設置されている冷蔵ショーケース及びまたは冷凍ショーケースの負荷の抑制を図るものである。以下、その具体例を説明する。
【００２２】
先ず、外気温度との差に基づく制御について説明する。図３（ロ）に示すように、夏季についてみれば、外気温度計測センサ１３が計測した外気温度が３１．１℃、窓際温度計測センサ１２が計測した窓際温度が２４．０℃、天井温度計測センサ１４が計測した天井付近の温度が２６．３℃としている。これに基づき、窓際温度と外気温度との差は、２４．０℃−３１．１℃＝−７．１℃であり、天井温度と外気温度との差は、２６．３℃−３１．１℃＝−４．８℃であり、この温度差における窓際と天井の割合は、窓際では７．１／１１．９＝０．６０であり、天井では４．８／１１．９＝０．４０となる。
【００２３】
その結果、夏季においては、値の小さい方が、温度が高いことから、こちらの方が店舗に負荷となるため、算出した割合を逆にし、図３（ロ）に、換気扇制御窓割合及び換気扇制御天井割合として示すように、窓際換気扇１０を４０％の送風量で運転し、天井換気扇１１Ａ、１１Ｂ、１１Ｃを６０％の送風量で運転する。
【００２４】
冬季及び中間期についても、上記同様にして図３（ロ）に示すように各計算値が算出される。その結果、冬季（暖房）においては、値の小さい方が、温度が低いことから、こちらの方が店舗に負荷となるため、算出した割合を逆にし、図３（ロ）に、換気扇制御窓割合及び換気扇制御天井割合として示すように、窓際換気扇１０を５２％の送風量で運転し、天井換気扇１１Ａ、１１Ｂ、１１Ｃを４８％の送風量で運転する。また中間期（暖房）においては、算出した窓際と天井の割合に基づき、図３（ロ）に、換気扇制御窓割合及び換気扇制御天井割合として示すように、窓際換気扇１０を４８％の送風量で運転し、天井換気扇１１Ａ、１１Ｂ、１１Ｃを５２％の送風量で運転する。
【００２５】
次に、設定温度との差に基づく制御について説明する。図３（ハ）に示すように、夏季についてみれば、設定温度２６．０℃、窓際温度計測センサ１２が計測した窓際温度が２４．０℃、天井温度計測センサ１４が計測した天井付近の温度が２６．３℃としている。これに基づき、窓際温度と設定温度との差は、２４．０℃−２６．０℃＝−２．０℃であり、天井温度と設定温度との差は、２６．３℃−２６．０℃＝０．３℃であり、この温度差における窓際と天井の割合は、窓際では２．０／２．３＝０．８７であり、天井では０．３／２．３＝０．１３となる。
【００２６】
その結果、夏季においては、値の小さい方が、温度が高いことから、こちらの方が店舗に負荷となるため、算出した割合を逆にし、図３（ハ）に、換気扇制御窓割合及び換気扇制御天井割合として示すように、窓際換気扇１０を０％の送風量で運転、即ち停止状態とし、天井換気扇１１Ａ、１１Ｂ、１１Ｃを１００％の送風量で運転、即ちフル回転状態とする。これによって、建築基準法の規定を満たす換気を行うことができる。
【００２７】
冬季及び中間期についても、上記同様にして図３（ハ）に示すように各計算値が算出される。その結果、冬季（暖房）においては、店舗に負荷となる方を優先して、図３（ハ）に、換気扇制御窓割合及び換気扇制御天井割合として示すように、窓際換気扇１０を１００％の送風量で運転（フル回転）し、天井換気扇１１Ａ、１１Ｂ、１１Ｃを０％の送風量で運転（停止）する。これによって、建築基準法の規定を満たす換気を行うことができる。また中間期（暖房）においては、算出した窓際と天井の割合に基づき、図３（ハ）に、換気扇制御窓割合及び換気扇制御天井割合として示すように、窓際換気扇１０を３５％の送風量で運転し、天井換気扇１１Ａ、１１Ｂ、１１Ｃを６５％の送風量で運転する。
【００２８】
次に、想定消費電力量に基づく制御について説明する。図３（ニ）に示すように、夏季における窓際の想定消費電力量（窓想定消費電力量という）と天井部分の想定消費電力量（天井想定消費電力量という）ｙは、ｙ＝０．００１６ｘ２−０．２０４７＋４．３５８の式（ｘは、上記の窓際温度と外気温度との差、及び天井温度と外気温度との差である）によって算出した値であり、図３（イ）に示すように、窓際では６．１［ｋｗｈ／ｈ］であり、天井では７．０［ｋｗｈ／ｈ］である。そして、この想定消費電力量における窓際と天井の割合は、窓際では６．１／１３．１＝０．４７であり、天井では７．０／１３．１＝０．５３となる。このような算出は、図５に示す制御部１５によって行われる。
【００２９】
夏季（冷房）においては、このようにして算出した想定消費電力量における窓際と天井の割合に基づき、図３（ニ）に、換気扇制御窓割合及び換気扇制御天井割合として示すように、窓際換気扇１０を４７％の送風量で運転し、天井換気扇１１Ａ、１１Ｂ、１１Ｃを５３％の送風量で運転するように、図５に示す制御部１５によって回転数を制御する。この制御の流れは、図４のフローチャートで示している。
【００３０】
なお、上記では、算出した想定消費電力量による割合で、窓際換気扇１０、及び天井換気扇１１Ａ、１１Ｂ、１１Ｃを運転しているが、例えば、店舗へ出入りする人数等のような店舗の種々の環境条件を含むファクタを入れて補正した割合でもって、窓際換気扇１０、及び天井換気扇１１Ａ、１１Ｂ、１１Ｃを運転するようにしてもよい。
【００３１】
このような窓際換気扇１０、及び天井換気扇１１Ａ、１１Ｂ、１１Ｃの送風量の制御は、時々刻々連続して行われるように、制御部１５によって窓際温度計測センサ１２、外気温度計測センサ１３、天井温度計測センサ１４の計測値を入力して、上記同様の算出に基づき、窓際換気扇１０、及び天井換気扇１１Ａ、１１Ｂ、１１Ｃの送風量を制御する連続方式でもよく、また、窓際温度計測センサ１２、外気温度計測センサ１３、天井温度計測センサ１４の計測値を入力して、上記同様の算出に基づき、制御部１５が所定間隔でもって、窓際換気扇１０、及び天井換気扇１１Ａ、１１Ｂ、１１Ｃの送風量を制御する方式のいずれでもよい。
【００３２】
このようにして、天井換気扇１１Ａ、１１Ｂ、１１Ｃによって排気ダクト８を介しての排気量と、窓際換気扇１０を介しての排気量との割合が制御部によって調節され、店舗内の換気量が、建築基準法に定めた基準値ぎりぎりの状態での換気量となり、建築基準法に定めた基準値はクリアし、且つ、店舗内の冷却・冷房を行う空気調和装置の負荷の抑制となり、更に、冷蔵ショーケース及びまたは冷凍ショーケースの負荷の抑制することができるものとなる。
【００３３】
本発明の場合、窓際換気扇１０及び天井換気扇１１Ａ、１１Ｂ、１１Ｃの回転数制御の方式としては、いくつかの方式があるが、その一つの方式は、インバータ制御である。それは、窓際温度計測センサ１２、外気温度計測センサ１３、及び天井温度計測センサ１４の計測に基づき、制御部１５によって算出された換気扇制御窓割合及び換気扇制御天井割合に応じて、制御部１５による周波数制御によって、高速回転から低速回転まで各換気扇の回転数が可変される方式である。
【００３４】
また、他の方式として、窓際換気扇１０及び天井換気扇１１Ａ、１１Ｂ、１１Ｃの回転数の段階制御である。それは、窓際温度計測センサ１２、外気温度計測センサ１３、及び天井温度計測センサ１４の計測に基づき、制御部１５によって算出された換気扇制御窓割合及び換気扇制御天井割合に応じて、制御部１５によって、窓際換気扇１０及び天井換気扇１１Ａ、１１Ｂ、１１Ｃの回転数が、例えば、高速、中速、低速の３段階に制御される方式である。
【００３５】
上記の方式は、窓際換気扇１０及び天井換気扇１１Ａ、１１Ｂ、１１Ｃの回転数制御であるが、窓際換気扇１０及び天井換気扇１１Ａ、１１Ｂ、１１Ｃの回転数は一定とし、図６に示すように、窓際換気扇１０及び天井換気扇１１Ａ、１１Ｂ、１１Ｃの空気吸い込み側に、それぞれダンパ装置１６、１７Ａ、１７Ｂ、１７Ｃを設け、窓際換気扇１０及び天井換気扇１１Ａ、１１Ｂ、１１Ｃの送風量制御に替わって、ダンパ装置１６、１７Ａ、１７Ｂ、１７Ｃの開度制御とすることもできる。この場合の制御装置は、図５において、窓際換気扇１０の替わりにダンパ装置１６とし、天井換気扇１１Ａの替わりにダンパ装置１７Ａとし、天井換気扇１１Ｂの替わりにダンパ装置１７Ｂとし、天井換気扇１１Ｃの替わりにダンパ装置１７Ｃとする。
【００３６】
これによって、窓際温度計測センサ１２、外気温度計測センサ１３、及び天井温度計測センサ１４の計測に基づき、制御部１５によって算出された換気扇制御窓割合及び換気扇制御天井割合に応じて、制御部１５によって、それぞれダンパ装置１６、１７Ａ、１７Ｂ、１７Ｃの開度が可変される。このため、窓際換気扇１０及び天井換気扇１１Ａ、１１Ｂ、１１Ｃの回転数は一定であるが、ダンパ装置１６、１７Ａ、１７Ｂ、１７Ｃの開度が変わるため、それに応じてその部分からの排出空気量が変わる。
【００３７】
上記の説明では、天井温度計測センサ１４は１個であるが、間隔を存して複数箇所の天井部分の温度を計測するように、複数個の天井温度計測センサ１４を設けてもよい。例えば、天井換気扇が３個の場合は、天井換気扇１１Ａに対して天井温度計測センサ１４Ａを設け、天井換気扇１１Ｂに対して天井温度計測センサ１４Ｂを設け、天井換気扇１１Ｃに対して天井温度計測センサ１４Ｃを設ける。
【００３８】
この場合の制御装置は、図７に示す構成となり、天井換気扇１１Ａは、天井温度計測センサ１４Ａの検知に基づき、上記図３に示すように算出された換気扇制御窓割合及び換気扇制御天井割合に応じて、制御部１５によって運転が制御される。また、天井換気扇１１Ｂは、天井温度計測センサ１４Ｂの検知に基づき、同様にして算出された換気扇制御窓割合及び換気扇制御天井割合に応じて、運転が制御され、天井換気扇１１Ｃは、天井温度計測センサ１４Ｃの検知に基づき、同様にして算出された換気扇制御窓割合及び換気扇制御天井割合に応じて、運転が制御されるようにすれば、温度の高い天井９部分の換気を適正に行うことができるものとなる。
【００３９】
また、他の制御方式として、間隔を存して複数箇所の天井部分の温度を計測するように、複数個の天井温度計測センサ１４を設け、これらの計測値の平均値を制御部１５によって算出し、これに基づき算出された想定消費電力量における窓際と天井の割合に応じて、制御部１５によって天井換気扇１１Ａ、１１Ｂ、１１Ｃが同じ回転数で運転するように制御することができる。
【００４０】
上記のように、本発明の店舗内４の換気装置は、店舗内４及びこの店舗内４に繋がる天井裏７を排気ダクト８として構成し、少なくとも店舗内４の天井９に取り付けられた照明器具１８の発熱を排気ダクト８に導く換気口を備えると共に、店舗１の窓際上部に取り付けられた窓際換気扇１０とを備え、外気温度、窓際の温度、天井側の温度を計測して、制御部１５による判断に基づき、窓際換気扇１０及び天井換気扇１１Ａ、１１Ｂ、１１Ｃによる送風量（排出量）が制御される。
【００４１】
上記では、店舗１の店内４の温度を計測するセンサは、少なくとも窓際温度計測センサ１２及び天井温度計測センサ１４であるが、これに限定されず、この他に、店内４の他の部分の温度、例えば出入り口近辺の温度を計測するセンサなどを設けてもよい。
【００４２】
なお、上記では、窓際換気扇１０及び天井換気扇１１Ａ、１１Ｂ、１１Ｃを設け、店舗内４の温度を計測するセンサは、少なくとも窓際温度計測センサ１２及び天井温度計測センサ１４であるが、制御の簡素化と低コスト化のために、店舗内４の温度を計測するセンサは、店舗内４のいずれかの場所に設け、換気口８Ａ、８Ｂ、８Ｃには天井換気扇１１Ａ、１１Ｂ、１１Ｃを設けず、単なる換気口とし、店内４の空気の排出は、窓際換気扇１０のみとすることもできる。
【００４３】
上記実施例のように、本発明の店舗内の換気装置は、店舗内４及びこの店舗内４に繋がる天井裏を排気ダクト８として構成し、少なくとも店舗内４の天井９に取り付けられた照明器具１８の発熱を排気ダクト８に導く換気口８Ａ、８Ｂ、８Ｃを備えると共に、店舗１の窓際上部に取り付けられた窓際換気扇１０とを備え、店舗内４の少なくとも室温を用いた制御部１５による判断に基づき、排気ダクト８を介しての排気量と窓際換気扇１０を介しての排気量との割合を調節するものとなる。
【００４４】
本発明は、上記のように、コンビニエンスストア等の店舗１内の温度・湿度むらを解消するために、店舗内４の適所に換気扇を設置した場合（実施例では、窓際換気扇１０、天井換気扇１１Ａ、１１Ｂ、１１Ｃを設置）、室内温度と室外温度との温度差が、図２に示すように同じ温度差であっても、そのときの温度差の状況を考慮した適正送風量となるように換気扇を制御することによって、店舗内４の温度むらを解消し、店内空気調和装置５の負荷となる空気の換気により、空気調和装置５の負荷の抑制、並びに、店舗内４に設置されている冷蔵ショーケース６及びまたは冷凍ショーケース６の負荷の抑制を図ることができるものとなる。
【００４５】
また本発明は、このような店舗に対して建築基準法に定められた換気量ぎりぎりの運転によって、店内空気調和装置５の負荷の抑制や、冷蔵ショーケース６及びまたは冷凍ショーケース６の負荷の抑制を行うことができ、省エネルギー効果を図ることができるものとなる。
【００４６】
図３（イ）、（ロ）、（ハ）、（ニ）には、夏季、中間期、冬季について、それぞれ一つの値しか記載していないが、後述の図１０に示すように、各時刻の外気温度、設定温度、窓際温度、天井温度を測定した値によって、上記同様の算出により、時刻ごとの換気扇制御窓割合と換気扇制御天井割合を算出し、これによって、各月ごと、各日ごとに、時刻ごとに窓際換気扇１０、及び天井換気扇１１Ａ、１１Ｂ、１１Ｃの制御を行なうようにすれば、細かい制御ができるものとなる。
【実施例２】
【００４７】
実施例１では、算出した想定消費電力量に基づく割合でもって、窓際換気扇１０、及び天井換気扇１１Ａ、１１Ｂ、１１Ｃを運転したが、窓際換気扇１０、及び天井換気扇１１Ａ、１１Ｂ、１１Ｃの運転割合を決定する要素として、想定消費電力量の替わりに熱負荷を用いる方式がある。実施例２は、この熱負荷を用いる方式であり、以下のその説明を行なう。
【００４８】
温度センサは、上記の窓際温度計測センサ１２、外気温度計測センサ１３、天井温度計測センサ１４の他に、天井裏７の温度を計測する天井裏温度計測センサを設け、これらの計測データにより、天井と窓際の熱負荷を下記の式にて算出する。そして、この熱負荷により、図３（ニ）に示したことと同様に、換気扇制御窓割合と換気扇制御天井割合を算出し、これによって、窓際換気扇１０、及び天井換気扇１１Ａ、１１Ｂ、１１Ｃを運転するものである。
【００４９】
上記熱負荷に算出方法は次の式によって行なう。
《天井の熱負荷》について：
天井伝導熱［ｋｗ］＝熱貫流率×天井面積［ｍ2］×（天井裏温度［℃］−店内温度［℃］）／１０００
天井の熱負荷［ｋｗ］＝天井伝導熱［ｋｗ］＋照明の発熱量（照明負荷）［ｋｗ］
《窓際の熱負荷》について：
輻射熱［ｋｗ］＝遮蔽係数×窓面積［ｍ2］×窓際日射量［ｋｗ／ｍ2］
窓伝導熱［ｋｗ］＝熱貫流率×窓面積［ｍ2］×（外気温度［℃］−店内温度［℃］）／１０００
窓際の熱負荷［ｋｗ］＝輻射熱［ｋｗ］+  窓伝導熱［ｋｗ］
なお、照明の発熱量（照明負荷）［ｋｗ］は、電力の計測値を用いるか、または、照明器具の定格電力×照明器具の個数で算出する。
【００５０】
図８には、店舗内外環境について、夏季、中間期、冬季における各部の温度、日射量、照明負荷などの一つの測定データを示している。また、  図９には、熱負荷に応じて算出した換気扇制御窓割合と換気扇制御天井割合を示している。図１０には、店舗の窓が北東に向いた夏季における窓際温度と窓日射量との関係式を示している。ｘは、上記の窓際温度と外気温度との差である。
【００５１】
この図１０に示す式によって算出した値が、図８の日射量の値として用いられる。図８には、例えば、夏季の日射量が０．０［ｋｗ／ｍ2］と一つであるが、図１０のように時刻ごとの算出値を用いて、図９に示す夏季の換気扇制御窓割合と換気扇制御天井割合を時刻ごとに算出し、これによって、各月ごと、各日ごとに、時刻ごとに窓際換気扇１０、及び天井換気扇１１Ａ、１１Ｂ、１１Ｃの制御を行なうようにすれば、細かい制御ができるものとなる。
【産業上の利用可能性】
【００５２】
本発明に係る店舗内の換気装置は、上記実施例に示した構成に限定されず、種々の形態のものに適用できるものであり、本発明の技術範囲において種々の形態を包含するものである。
【符号の説明】
【００５３】
１・・・・・コンビニエンスストア
２・・・・・前面側
３・・・・・背面側
４・・・・・店舗内
５・・・・・空気調和装置
６・・・・・ショーケース
７・・・・・天井裏
８・・・・・排気ダクト
９・・・・・天井
１０・・・・窓際換気扇
１１Ａ、１１Ｂ、１１Ｃ・・・・天井換気扇
１２・・・・窓際温度計測センサ
１３・・・・外気温度計測センサ
１４・・・・天井温度計測センサ
１５・・・・制御部
１６・・・・窓際換気扇対応のダンパ装置
１７Ａ、１７Ｂ、１７Ｃ・・・・天井換気扇対応のダンパ装置
１８・・・・照明器具
【図１】
2011133199.tif 000003
【図２】
2011133199.tif 000004
【図３】
2011133199.tif 000005
【図４】
2011133199.tif 000006
【図５】
2011133199.tif 000007
【図６】
2011133199.tif 000008
【図７】
2011133199.tif 000009
【図８】
2011133199.tif 000010
【図９】
2011133199.tif 000011
【図１０】
2011133199.tif 000012